(57)【要約】【課題】起動時間を短縮することが可能な、バラストユニットを備えたプロジェクターを提供する。【解決手段】プロジェクター１は、設定された駆動方式情報に従って光源ランプ１１を駆動するバラストユニット４０と、駆動方式情報を記憶可能な駆動方式記憶部２３およびバラストユニット４０を通信によって制御する制御部２１を有する制御回路２０と、を備え、制御部２１は、駆動方式記憶部２３に駆動方式情報が記憶されている場合に、駆動方式情報をバラストユニット４０に設定する。【選択図】図１
2011164509.tif 000002
【特許請求の範囲】
【請求項１】
光源ランプから射出された光を変調して投写するプロジェクターであって、
設定された駆動方式情報に従って前記光源ランプを駆動するバラストユニットと、
前記駆動方式情報を記憶可能な駆動方式記憶部、および前記バラストユニットを通信によって制御する制御部を有する制御回路と、
を備え、
前記制御部は、前記駆動方式記憶部に前記駆動方式情報が記憶されている場合に、前記駆動方式情報を前記バラストユニットに設定することを特徴とするプロジェクター。
【請求項２】
請求項１に記載のプロジェクターであって、
前記バラストユニットは、前記バラストユニットの種別を識別するためのバラスト種別情報が記憶されたバラスト種別記憶部をさらに有し、
前記制御回路は、前記制御部が制御可能とするバラストユニットの種別を表す対応バラスト種別情報が記憶された対応バラスト種別記憶部をさらに有し、
前記駆動方式記憶部に前記駆動方式情報が記憶されていない場合に、前記制御部は、前記バラストユニットから前記バラスト種別情報を取得して、前記対応バラスト種別情報との適合性の判断を行い、適合していれば、前記対応バラスト種別情報に基づいた前記駆動方式情報を前記駆動方式記憶部に記憶させ、さらに、前記駆動方式情報を前記バラストユニットに設定することを特徴とするプロジェクター。
【請求項３】
請求項２に記載のプロジェクターであって、
前記制御部が適合性の判断を行う前記バラスト種別情報および前記対応バラスト種別情報は、前記バラストユニットのハードウェア情報であることを特徴とするプロジェクター。
【請求項４】
請求項２に記載のプロジェクターであって、
前記制御部が適合性の判断を行う前記バラスト種別情報および前記対応バラスト種別情報は、前記バラストユニットのソフトウェアバージョン情報であることを特徴とするプロジェクター。
【請求項５】
請求項２に記載のプロジェクターであって、
前記制御部が適合性の判断を行う前記バラスト種別情報および前記対応バラスト種別情報は、前記バラストユニットが前記光源ランプを駆動するための前記駆動方式情報であることを特徴とするプロジェクター。
【請求項６】
請求項２乃至５のいずれか一項に記載のプロジェクターであって、
所定の操作信号を受け付ける操作受付部をさらに備え、
前記操作受付部が前記所定の操作信号を受け付けた場合に、前記制御部は、前記駆動方式記憶部を前記駆動方式情報が記憶されていない状態にすることを特徴とするプロジェクター。
【請求項７】
設定された駆動方式情報に従って光源ランプを駆動するバラストユニットと、前記駆動方式情報を記憶可能な駆動方式記憶部および前記バラストユニットを通信によって制御する制御部を有する制御回路と、を備え、前記光源ランプから射出された光を変調して投写するプロジェクターの制御方法であって、
前記駆動方式記憶部に前記駆動方式情報が記憶されているか否かを判断する判断ステップと、
前記判断ステップにおいて前記駆動方式情報が記憶されていると判断された場合に、前記制御部が前記駆動方式情報を前記バラストユニットに設定する設定ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、光源ランプおよびバラストユニットを有し、バラストユニットが光源ランプを点灯駆動させるプロジェクターが知られている。このようなプロジェクターにおいては、装置全体を制御する制御回路がバラストユニットを通信によって制御している。そして、バラストユニットは、制御回路からの通信制御に基づいて光源ランプを駆動している。
【０００３】
特許文献１には、通信機能を備えた放電ランプ点灯装置（バラストユニット）が開示されている。このようなバラストユニットによれば、外部からの通信によって、当該バラストユニットの制御を行うことが可能となっている。
【先行技術文献】
【特許文献】
【０００４】
【特許文献１】特開２００５−２４３３８１号公報
【発明の概要】
【発明が解決しようとする課題】
【０００５】
しかしながら、このようなバラストユニットを備えたプロジェクターにおいては、プロジェクターの起動の際に、制御回路とバラストユニットとの間で、初期設定のための通信が毎回行われる。特に、初期設定として、制御回路がバラストユニットとの適合性の確認のための通信を行うプロジェクターにおいては、この適合性の確認の通信に時間が掛かっていた。このため、プロジェクターの起動時間が遅くなる場合があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源ランプから射出された光を変調して投写するプロジェクターであって、設定された駆動方式情報に従って前記光源ランプを駆動するバラストユニットと、前記駆動方式情報を記憶可能な駆動方式記憶部、および前記バラストユニットを通信によって制御する制御部を有する制御回路と、を備え、前記制御部は、前記駆動方式記憶部に前記駆動方式情報が記憶されている場合に、前記駆動方式情報を前記バラストユニットに設定することを特徴とする。
【０００８】
このようなプロジェクターによれば、バラストユニットは、設定された駆動方式情報に従って光源ランプを駆動する。制御回路は、駆動方式情報を記憶可能な駆動方式記憶部、およびバラストユニットを通信によって制御する制御部を有する。そして、制御部は、駆動方式記憶部に駆動方式情報が記憶されている場合に、駆動方式情報をバラストユニットに設定する。これにより、駆動方式記憶部に駆動方式情報が記憶されていれば、制御部は、バラストユニットに対して駆動方式情報を直ちに設定することができる。つまり、プロジェクターを起動して初期設定を行う際においても、バラストユニットと制御回路との適合性の確認のための通信を行うことなく、光源ランプを駆動するための駆動方式情報をバラストユニットに設定することが可能になる。よって、プロジェクターを起動する際の時間を短縮することができる。
【０００９】
［適用例２］上記適用例に係るプロジェクターにおいて、前記バラストユニットは、前記バラストユニットの種別を識別するためのバラスト種別情報が記憶されたバラスト種別記憶部をさらに有し、前記制御回路は、前記制御部が制御可能とするバラストユニットの種別を表す対応バラスト種別情報が記憶された対応バラスト種別記憶部をさらに有し、前記駆動方式記憶部に前記駆動方式情報が記憶されていない場合に、前記制御部は、前記バラストユニットから前記バラスト種別情報を取得して、前記対応バラスト種別情報との適合性の判断を行い、適合していれば、前記対応バラスト種別情報に基づいた前記駆動方式情報を前記駆動方式記憶部に記憶させ、さらに、前記駆動方式情報を前記バラストユニットに設定することを特徴とする。
【００１０】
このようなプロジェクターによれば、バラストユニットは、バラスト種別記憶部を有している。制御回路は、対応バラスト種別記憶部を有している。そして、駆動方式記憶部に駆動方式情報が記憶されていない場合に、制御部は、バラストユニットから取得したバラスト種別情報と対応バラスト種別情報との適合性の判断を行う。バラストユニットが適合していれば、制御部は、対応バラスト種別情報に基づいた駆動方式情報を駆動方式記憶部に記憶させる。さらに、制御部は、駆動方式情報をバラストユニットに設定する。これにより、プロジェクターを起動して初期設定を行う際において、駆動方式記憶部に駆動方式情報が記憶されていない場合には、制御部は、バラストユニットとの適合性を判断することができる。そして、適合していれば、駆動方式情報を駆動方式記憶部に記憶させるため、次回以降にプロジェクターを起動して初期設定を行う際においては、バラストユニットと制御回路との適合性の確認のための通信を行う必要がなくなるため、有益である。
【００１１】
［適用例３］上記適用例に係るプロジェクターにおいて、前記制御部が適合性の判断を行う前記バラスト種別情報および前記対応バラスト種別情報は、前記バラストユニットのハードウェア情報であることを特徴とする。
【００１２】
このようなプロジェクターによれば、制御部が適合性の判断を行うバラスト種別情報および対応バラスト種別情報は、バラストユニットのハードウェア情報である。ハードウェア情報とは、例えば、バラストユニットのメーカー情報とする。これにより、制御部は、バラストユニットが制御可能か否かをバラストユニットのメーカー情報によって判断することができる。
【００１３】
［適用例４］上記適用例に係るプロジェクターにおいて、前記制御部が適合性の判断を行う前記バラスト種別情報および前記対応バラスト種別情報は、前記バラストユニットのソフトウェアバージョン情報であることを特徴とする。
【００１４】
このようなプロジェクターによれば、制御部が適合性の判断を行うバラスト種別情報および対応バラスト種別情報は、バラストユニットのソフトウェアバージョン情報である。ソフトウェアバージョン情報とは、バラストユニットを制御する制御プログラムのバージョン情報である。これにより、制御部は、バラストユニットが制御可能か否かをバラストユニットのソフトウェアバージョン情報によって判断することができる。
【００１５】
［適用例５］上記適用例に係るプロジェクターにおいて、前記制御部が適合性の判断を行う前記バラスト種別情報および前記対応バラスト種別情報は、前記バラストユニットが前記光源ランプを駆動するための前記駆動方式情報であることを特徴とする。
【００１６】
このようなプロジェクターによれば、制御部が適合性の判断を行うバラスト種別情報および対応バラスト種別情報は、バラストユニットが光源ランプを駆動するための駆動方式情報である。駆動方式情報とは、例えば、バラストユニットが駆動する光源ランプの駆動電力や駆動波形の情報とする。これにより、制御部は、バラストユニットが制御可能か否かを駆動方式情報によって判断することができる。
【００１７】
［適用例６］上記適用例に係るプロジェクターにおいて、所定の操作信号を受け付ける操作受付部をさらに備え、前記操作受付部が前記所定の操作信号を受け付けた場合に、前記制御部は、前記駆動方式記憶部を前記駆動方式情報が記憶されていない状態にすることを特徴とする。
【００１８】
このようなプロジェクターによれば、操作受付部が所定の操作信号を受け付けた場合に、制御部は、駆動方式記憶部を駆動方式情報が記憶されていない状態にする。これにより、駆動方式記憶部に駆動方式情報が記憶されていない状態にされると、プロジェクターを起動して初期設定を行う際において、制御部は、バラストユニットとの適合性の判断を行う。よって、不適合なバラストユニットを検知することができる。
【００１９】
［適用例７］本適用例に係るプロジェクターの制御方法は、設定された駆動方式情報に従って光源ランプを駆動するバラストユニットと、前記駆動方式情報を記憶可能な駆動方式記憶部および前記バラストユニットを通信によって制御する制御部を有する制御回路と、を備え、前記光源ランプから射出された光を変調して投写するプロジェクターの制御方法であって、前記駆動方式記憶部に前記駆動方式情報が記憶されているか否かを判断する判断ステップと、前記判断ステップにおいて前記駆動方式情報が記憶されていると判断された場合に、前記制御部が前記駆動方式情報を前記バラストユニットに設定する設定ステップと、を備えることを特徴とする。
【００２０】
このようなプロジェクターの制御方法によれば、駆動方式記憶部に駆動方式情報が記憶されていれば、制御部は、バラストユニットに対して駆動方式情報を直ちに設定することができる。つまり、プロジェクターを起動して初期設定を行う際においても、バラストユニットと制御回路との適合性の確認のための通信を行うことなく、光源ランプを駆動するための駆動方式情報をバラストユニットに設定することが可能になる。よって、プロジェクターを起動する際の時間を短縮することができる。
【００２１】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２２】
【図１】実施形態に係るプロジェクターの概略構成を示すブロック図。
【図２】プロジェクターのバラストユニットの内部構成を示すブロック図。
【図３】プロジェクターの駆動方式記憶部に駆動方式情報が記憶されていない場合の初期設定のシーケンス図。
【図４】プロジェクターの駆動方式記憶部に駆動方式情報が記憶されている場合の初期設定のシーケンス図。
【図５】プロジェクターの電源投入時において、制御部がバラストユニットに光源ランプの駆動方式情報を設定する処理のフローチャート。
【図６】プロジェクターのリセットキー押下時の処理のフローチャート。
【発明を実施するための形態】
【００２３】
以下、実施形態について説明する。
【００２４】
（実施形態）
本実施形態では、駆動方式情報に従って光源ランプを駆動するバラストユニットを備えたプロジェクターについて説明する。
【００２５】
図１は、本実施形態に係るプロジェクターの概略構成を示すブロック図である。図１を使用して、プロジェクター１の内部構成について説明する。
【００２６】
プロジェクター１は、画像投写部１０、制御回路２０、操作受付部３１、報知部３２、バラストユニット４０、電源回路５０、画像信号入力部６０、画像処理部６１等を備えている。
【００２７】
画像投写部１０は、超高圧水銀ランプやメタルハライドランプ等からなる放電型の光源ランプ１１と、光変調装置としての液晶ライトバルブ１２と、投写レンズ１３と、液晶ライトバルブ１２を駆動するライトバルブ駆動部１４とを備えている。
【００２８】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２９】
光源ランプ１１から射出された光は、この液晶ライトバルブ１２を透過することによって変調され、変調後の光が投写レンズ１３によって投写されることにより、スクリーンＳＣ等に画像信号に応じた画像が表示される。
【００３０】
制御回路２０は、制御部２１と、対応バラスト種別記憶部２２と、駆動方式記憶部２３とを備えている。
制御部２１は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２１は、ＣＰＵが不揮発性のメモリーに記憶されている制御プログラムに従って動作することにより、プロジェクター１の動作を統括制御する。
【００３１】
対応バラスト種別記憶部２２は、不揮発性メモリーによって構成されており、制御部２１が制御可能なバラストユニット４０の種別を表す対応バラスト種別情報として、対応ハードウェア情報２２ａ、対応ソフトウェアバージョン情報２２ｂ、および対応駆動方式情報２２ｃが記憶されている。
【００３２】
本実施形態では、対応ハードウェア情報２２ａは、制御部２１が制御可能なバラストユニット４０のメーカー情報とする。なお、対応ハードウェア情報２２ａはメーカー情報に限定せず、バラストユニット４０の機種名の情報等としてもよい。また、対応ソフトウェアバージョン情報２２ｂは、制御部２１が制御可能なバラストユニット４０のソフトウェアバージョンとする。また、対応駆動方式情報２２ｃは、制御部２１が制御可能なバラストユニット４０がサポートする光源ランプ１１の駆動方式情報とする。駆動方式情報とは、具体的には光源ランプ１１の駆動電力や駆動波形を表す情報とする。
【００３３】
駆動方式記憶部２３は、不揮発性メモリーによって構成されており、光源ランプ１１を駆動するためにバラストユニット４０のバラスト制御部４１に設定する駆動方式情報を記憶する。駆動方式記憶部２３は、制御部２１によって駆動方式情報の書き込みおよび読み出しが行われる。
【００３４】
操作受付部３１は、プロジェクター１に対して各種指示を行うための複数のキー等を備えている。操作受付部３１が備えるキーとしては、電源のオン／オフを行うための「電源キー」や、入力された画像信号を切り換えるための「入力切換キー」、各種設定を行うためのメニュー画面の表示／非表示を切り換える「メニューキー」、メニュー画面におけるカーソルの移動等に用いられる「カーソルキー」、各種設定を決定するための「決定キー」、各種設定を初期化するための「リセットキー」等がある。ユーザーが操作受付部３１を操作すると、操作受付部３１は、ユーザーの操作内容に応じた制御情報を制御部２１に出力する。
【００３５】
ここで、操作受付部３１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御情報として制御部２１に伝達する。
【００３６】
報知部３２は、ＬＥＤ（Light Emitting Diode）を有して構成されている。報知部３２は、制御部２１の指示に基づいて、ＬＥＤを点灯したり消灯したりすることで、制御部２１（制御回路２０）とバラストユニット４０との不適合をユーザーに報知する。
【００３７】
バラストユニット４０は、光源ランプ１１を点灯駆動させる装置である。バラストユニット４０は、バラスト制御部４１と、バラスト種別記憶部４２とを備えている。さらに、駆動回路（図１では図示せず）を備えているが、この駆動回路については後述する。
【００３８】
バラスト制御部４１は、ＣＰＵ、ＲＡＭ、および、マスクＲＯＭやフラッシュメモリー、ＦｅＲＡＭ等の不揮発性のメモリー等（いずれも図示せず）を備えている。バラスト制御部４１は、ＣＰＵが不揮発性のメモリーに記憶されている制御プログラムに従って動作することにより、バラストユニット４０の動作を制御する。
【００３９】
バラスト制御部４１は、制御回路２０の制御部２１とＵＡＲＴ（Universal Asynchronous Receiver Transmitter）通信を行い、制御部２１からの指示に基づいてバラストユニット４０を制御する。バラスト制御部４１は、制御部２１から駆動方式情報を設定するためのコマンドを受信すると、その駆動方式情報に基づいて駆動回路を制御して、光源ランプ１１を駆動する。また、バラスト制御部４１は、制御部２１からのバラスト種別情報の問合せを受信すると、バラスト種別記憶部４２からバラスト種別情報を読み出して応答を行う。
【００４０】
バラスト種別記憶部４２は、不揮発性メモリーによって構成されており、本バラストユニット４０の種別を識別するためのバラスト種別情報として、ハードウェア情報４２ａ、ソフトウェアバージョン情報４２ｂ、および駆動方式情報４２ｃが記憶されている。
【００４１】
本実施形態では、ハードウェア情報４２ａは、本バラストユニット４０のメーカー情報とする。なお、ハードウェア情報４２ａはメーカー情報に限定せず、本バラストユニット４０の機種名の情報等としてもよい。また、ソフトウェアバージョン情報４２ｂは、本バラストユニット４０の制御プログラムのソフトウェアバージョンとする。また、駆動方式情報４２ｃは、本バラストユニット４０が駆動可能な光源ランプ１１の駆動方式情報とする。駆動方式情報とは、具体的には光源ランプ１１の駆動電力や駆動波形を表す情報とする。
【００４２】
ここで、バラストユニット４０の駆動回路の構成および光源ランプ１１の駆動動作について説明する。
図２は、プロジェクター１のバラストユニット４０の内部構成を示すブロック図である。図２を使用して、バラストユニット４０の内部構成と動作について説明する。
【００４３】
バラストユニット４０は、ＥＭＩフィルター４３、ダウンコンバーター４４、インバーター回路４５、イグナイター回路４６等を備えている。また、図１で説明したように、バラスト制御部４１、およびバラスト種別記憶部４２を備えている。ＥＭＩフィルター４３、ダウンコンバーター４４、インバーター回路４５、イグナイター回路４６等の駆動回路は、バラスト制御部４１によって制御される。
【００４４】
電源回路５０から入力された直流電圧は、バラストユニット４０で発生したノイズをカットするＥＭＩフィルター４３を経由して入力され、ダウンコンバーター４４によって降圧される。降圧された直流電流は、インバーター回路４５によって交流矩形波電流（光源ランプ駆動電力）に変換される。イグナイター回路４６は、光源ランプ１１の電極間の絶縁破壊を行って、光源ランプ１１の始動を促す。
【００４５】
図１に戻り、電源回路５０は、ＡＣ１００Ｖ等の商用電源を入力して、プロジェクター１の各種動作に必要な直流の電源電圧、および、バラストユニット４０を動作させるための直流の電源電圧を生成する。
【００４６】
画像信号入力部６０には、パーソナルコンピューターやビデオ再生装置、メモリーカード、ＵＳＢストレージ、デジタルカメラ等、外部の画像供給装置（図示せず）とケーブルを介した接続を行うための各種の画像入力端子が備えられており、画像供給装置から画像信号が入力される。画像信号入力部６０は、入力される画像信号を、画像処理部６１で処理可能な形式の画像データに変換して、画像処理部６１に出力する。
【００４７】
画像処理部６１は、制御部２１の指示に基づいて、画像信号入力部６０から入力される画像データに対して、明るさ、コントラスト、シャープネス、色合い等の調整や、ガンマ補正等の各種画質調整を施す。さらに、画像処理部６１では、必要に応じてＯＳＤ（オンスクリーンディスプレイ）画像を画像データに重畳する処理を行う。画像処理部６１は、このような調整および処理を行った画像データをライトバルブ駆動部１４に出力する。
【００４８】
ライトバルブ駆動部１４が、画像処理部６１から入力される画像データに従って液晶ライトバルブ１２を駆動すると、液晶ライトバルブ１２は、光源ランプ１１から入射する光を、画像データに応じて画像光に変調し、この画像光が投写レンズ１３から投写される。
【００４９】
次に、プロジェクター１の制御部２１およびバラスト制御部４１のシーケンスについて説明する。プロジェクター１に電源が投入されたときに、制御部２１は、初期設定として駆動方式情報をバラスト制御部４１に設定する。この際、制御部２１は、駆動方式記憶部２３に駆動方式情報が記憶されているか否かの判断を行う。よって、駆動方式記憶部２３に駆動方式情報が記憶されていない場合と、記憶されている場合に分けて初期設定のシーケンスを説明する。
【００５０】
まず、駆動方式記憶部２３に駆動方式情報が記憶されていない場合の初期設定のシーケンスについて説明する。
図３は、本実施形態に係るプロジェクター１の駆動方式記憶部２３に駆動方式情報が記憶されていない場合の初期設定のシーケンス図である。
【００５１】
制御部２１が、駆動方式記憶部２３に駆動方式情報が記憶されていないと判断した場合（ステップＳ１０１）、制御部２１は、ハードウェア情報取得コマンドをバラスト制御部４１に送信する（ステップＳ１０２）。ハードウェア情報取得コマンドを受信すると、バラスト制御部４１は、バラスト種別記憶部４２に記憶されているハードウェア情報４２ａを読み出して、制御部２１に送信（応答）する（ステップＳ１０３）。ハードウェア情報４２ａを受信すると、制御部２１は、そのハードウェア情報４２ａを用いてバラストユニット４０が制御可能か否か、即ち対応ハードウェア情報２２ａに適合しているか否かを判断する。なお、この判断処理については後述するフローチャートで説明する。本シーケンス図では、バラストユニット４０が制御可能である場合について説明する。
【００５２】
バラストユニット４０が制御可能であった場合に、制御部２１は、ソフトウェアバージョン情報取得コマンドをバラスト制御部４１に送信する（ステップＳ１０４）。ソフトウェアバージョン情報取得コマンドを受信すると、バラスト制御部４１は、バラスト種別記憶部４２に記憶されているソフトウェアバージョン情報４２ｂを読み出して、制御部２１に送信（応答）する（ステップＳ１０５）。ソフトウェアバージョン情報４２ｂを受信すると、制御部２１は、そのソフトウェアバージョン情報４２ｂを用いてバラストユニット４０が制御可能か否か、即ち対応ソフトウェアバージョン情報２２ｂに適合しているか否かを判断する。なお、この判断処理については後述するフローチャートで説明する。本シーケンス図では、バラストユニット４０が制御可能である場合について説明する。
【００５３】
バラストユニット４０が制御可能であった場合に、制御部２１は、駆動方式情報取得コマンドをバラスト制御部４１に送信する（ステップＳ１０６）。駆動方式情報取得コマンドを受信すると、バラスト制御部４１は、バラスト種別記憶部４２に記憶されている駆動方式情報４２ｃを読み出して、制御部２１に送信（応答）する（ステップＳ１０７）。駆動方式情報４２ｃを受信すると、制御部２１は、その駆動方式情報４２ｃを用いて光源ランプ１１を駆動可能か否か、即ち対応駆動方式情報２２ｃに適合しているか否かを判断する。なお、この判断処理については後述するフローチャートで説明する。本シーケンス図では、光源ランプ１１を駆動可能である場合について説明する。
【００５４】
光源ランプ１１を駆動可能であった場合に、制御部２１は、対応駆動方式情報２２ｃを駆動方式記憶部２３に記憶させる（ステップＳ１０８）。そして、制御部２１は、駆動方式記憶部２３に記憶した駆動方式情報、即ち対応駆動方式情報２２ｃを駆動方式設定コマンドによってバラスト制御部４１に送信する（ステップＳ１０９）。駆動方式設定コマンドを受信すると、バラスト制御部４１は、駆動方式情報（対応駆動方式情報２２ｃ）に従った駆動電力および駆動波形をバラストユニット４０の駆動回路に設定する。そして、バラスト制御部４１は、制御部２１に駆動方式設定応答を送信する（ステップＳ１１０）。
【００５５】
次に、駆動方式記憶部２３に駆動方式情報が記憶されている場合の初期設定のシーケンスについて説明する。
図４は、本実施形態に係るプロジェクター１の駆動方式記憶部２３に駆動方式情報が記憶されている場合の初期設定のシーケンス図である。
【００５６】
制御部２１が駆動方式記憶部２３に駆動方式情報が記憶されていると判断した場合（ステップＳ２０１）、制御部２１は、駆動方式記憶部２３に記憶されている駆動方式情報を、駆動方式設定コマンドによってバラスト制御部４１に送信する（ステップＳ２０２）。駆動方式設定コマンドを受信すると、バラスト制御部４１は、駆動方式情報に従った駆動電力および駆動波形をバラストユニット４０の駆動回路に設定する。そして、バラスト制御部４１は、制御部２１に駆動方式設定応答を送信する（ステップＳ２０３）。
【００５７】
次に、プロジェクター１の電源が投入されたときに、制御部２１がバラストユニット４０に対して光源ランプ１１の駆動方式情報を設定する処理をフローチャートを用いて説明する。
図５は、プロジェクター１の電源投入時において、制御部２１がバラストユニット４０に光源ランプ１１の駆動方式情報を設定する処理のフローチャートである。
【００５８】
制御部２１は、駆動方式記憶部２３に駆動方式情報が記憶されているか否かを判断する（ステップＳＡ０１）。駆動方式情報が記憶されていない場合（ステップＳＡ０１：ＮＯ）、制御部２１は、バラストユニット４０のバラスト制御部４１からハードウェア情報４２ａを取得する（ステップＳＡ０２）。ここで、バラスト制御部４１からの情報の取得や設定は、上述したシーケンス図で説明したようにＵＡＲＴ通信によって行うものとする。そして、制御部２１は、ハードウェア情報４２ａが、対応バラスト種別記憶部２２に記憶されている対応ハードウェア情報２２ａに適合しているか否かの判断を行う（ステップＳＡ０３）。具体的には、ハードウェア情報４２ａであるメーカー情報が対応ハードウェア情報２２ａのメーカー情報に適合しているか否かを判断する。
【００５９】
ハードウェア情報４２ａが対応ハードウェア情報２２ａに適合していた場合（ステップＳＡ０３：ＹＥＳ）、制御部２１は、バラストユニット４０のバラスト制御部４１からソフトウェアバージョン情報４２ｂを取得する（ステップＳＡ０４）。そして、制御部２１は、ソフトウェアバージョン情報４２ｂが、対応バラスト種別記憶部２２に記憶されている対応ソフトウェアバージョン情報２２ｂに適合しているか否かの判断を行う（ステップＳＡ０５）。
【００６０】
ソフトウェアバージョン情報４２ｂが対応ソフトウェアバージョン情報２２ｂに適合していた場合（ステップＳＡ０５：ＹＥＳ）、制御部２１は、バラストユニット４０のバラスト制御部４１から駆動方式情報４２ｃを取得する（ステップＳＡ０６）。そして、制御部２１は、駆動方式情報４２ｃが、対応バラスト種別記憶部２２に記憶されている対応駆動方式情報２２ｃに適合しているか否かの判断を行う（ステップＳＡ０７）。
【００６１】
駆動方式情報４２ｃが対応駆動方式情報２２ｃに適合していた場合（ステップＳＡ０７：ＹＥＳ）、制御部２１は、対応駆動方式情報２２ｃを駆動方式記憶部２３に記憶させる（ステップＳＡ０８）。そして、制御部２１は、バラストユニット４０（バラスト制御部４１）に、駆動方式記憶部２３に記憶されている駆動方式情報（ここでは、対応駆動方式情報２２ｃ）を設定する（ステップＳＡ０９）。そして、制御部２１がバラストユニット４０に光源ランプ１１の駆動方式情報を設定する処理を終了する。
【００６２】
ハードウェア情報４２ａが対応ハードウェア情報２２ａに適合していない場合（ステップＳＡ０３：ＮＯ）、ソフトウェアバージョン情報４２ｂが対応ソフトウェアバージョン情報２２ｂに適合していない場合（ステップＳＡ０５：ＮＯ）、および駆動方式情報４２ｃが対応駆動方式情報２２ｃに適合していない場合（ステップＳＡ０７：ＮＯ）には、制御部２１は、報知部３２に指示を出してＬＥＤによって、バラストユニット４０が不適合である旨を報知する（ステップＳＡ１０）。そして、制御部２１がバラストユニット４０に光源ランプ１１の駆動方式情報を設定する処理を終了する。
【００６３】
駆動方式記憶部２３に駆動方式情報が記憶されている場合（ステップＳＡ０１：ＹＥＳ）、ステップＳＡ０９に移行して、制御部２１は、バラストユニット４０のバラスト制御部４１に、駆動方式記憶部２３に記憶されている駆動方式情報を設定する（ステップＳＡ０９）。そして、制御部２１がバラストユニット４０に光源ランプ１１の駆動方式情報を設定する処理を終了する。
【００６４】
上述したように、駆動方式記憶部２３に光源ランプ１１の駆動方式情報が記憶されていない場合には、制御部２１は、バラスト制御部４１からハードウェア情報４２ａ、ソフトウェアバージョン情報４２ｂ、および駆動方式情報４２ｃを取得して、適合性の判断、即ち制御可能か否かを判断する。そして、制御可能であれば、制御部２１は、対応駆動方式情報２２ｃを駆動方式記憶部２３に記憶させる。そして、制御部２１は、駆動方式記憶部２３に記憶した対応駆動方式情報２２ｃをバラスト制御部４１に送信して、バラストユニット４０に設定させる。
また、駆動方式記憶部２３に光源ランプ１１の駆動方式情報が記憶されている場合には、制御部２１は、その駆動方式情報をバラスト制御部４１に送信して、バラストユニット４０に設定させる。
【００６５】
このように、プロジェクター１の電源投入の際の初期設定において、駆動方式情報をバラストユニット４０に設定することによって、バラストユニット４０は設定された駆動方式情報（駆動電力、駆動波形）に従って、光源ランプ１１を点灯駆動することができる。
【００６６】
次に、プロジェクター１の操作受付部３１に備わるリセットキーが押下されたときに、駆動方式記憶部２３を初期化する処理をフローチャートを用いて説明する。
図６は、プロジェクター１のリセットキー押下時の処理のフローチャートである。
【００６７】
操作受付部３１に備わるリセットキーが押下されると、制御部２１は、ＲＡＭや不揮発性メモリーに記憶されている各種データを初期化する（ステップＳＢ０１）。このときの初期化とは、工場出荷時の状態に戻すことを示す。さらに、制御部２１は、駆動方式記憶部２３を初期化する（ステップＳＢ０２）。このときの初期化とは、駆動方式記憶部２３を駆動方式情報が記憶されていない状態にすることを示す。このときのリセットキーの押下による押下信号が、所定の操作信号に相当する。そして、リセットキー押下時の処理を終了する。
【００６８】
上述したように、リセットキーを押下することで、駆動方式記憶部２３を初期化することができる。
【００６９】
上述した実施形態によれば、以下の効果が得られる。
（１）プロジェクター１は、電源が投入された際に、駆動方式記憶部２３に駆動方式情報が記憶されている場合には、制御部２１は、バラストユニット４０に対して駆動方式情報を直ちに設定することができる。つまり、初期設定において、バラスト制御部４１と制御部２１との間でバラスト種別の適合性の確認のための通信を行うことなく、光源ランプ１１を駆動するための駆動方式情報をバラストユニット４０に設定することが可能になるため、プロジェクター１を起動する際の時間を短縮することができる。よって、ユーザーの利便性が向上する。
【００７０】
（２）プロジェクター１は、電源が投入された際に、駆動方式記憶部２３に駆動方式情報が記憶されていない場合（例えば、プロジェクター１が組み立てられて、初めて電源が投入された場合）には、初期設定において、制御部２１は、バラストユニット４０のバラスト制御部４１との間でバラスト種別、即ちハードウェア情報、ソフトウェアバージョン情報、および駆動方式情報の適合性を判断する。そして、適合していれば、対応駆動方式情報２２ｃを駆動方式記憶部２３に記憶させる。これにより、次回以降のプロジェクター１の起動の際には、初期設定において、バラスト制御部４１と制御部２１との適合性の確認の通信を行う必要がなくなるため、有益である。
【００７１】
（３）プロジェクター１は、電源が投入された際に、駆動方式記憶部２３に駆動方式情報が記憶されていない場合には、初期設定において、制御部２１は、バラストユニット４０のバラスト制御部４１との間でバラスト種別、即ちハードウェア情報、ソフトウェアバージョン情報、および駆動方式情報の適合性を判断する。そして、適合していないものがあれば、制御部２１は、報知部３２に指示を出して、ＬＥＤによってバラストユニット４０が不適合である旨を報知する。これにより、ユーザーは、ＬＥＤを目視することによって、バラストユニット４０が使用不可能であることを認識することができる。
【００７２】
（４）プロジェクター１は、操作受付部３１に備わるリセットキーが押下されると、駆動方式記憶部２３が初期化されて駆動方式情報が記憶されていない状態になる。これにより、次回、プロジェクター１を起動して初期設定を行う際には、制御部２１は、バラストユニット４０との適合性の判断を行う。よって、不適合なバラストユニット４０を検知することができる。例えば、プロジェクター１の修理において、バラストユニット４０の交換を行った場合には、リセットキーを押下してプロジェクター１を再度起動すれば、交換したバラストユニット４０の適合性を判断することができる。
【００７３】
なお、上述した実施形態に限定されず、種々の変更や改良等を加えて実施することが可能である。変形例を以下に述べる。
【００７４】
（変形例１）上記実施形態では、バラスト種別記憶部４２に記憶されているハードウェア情報４２ａ、ソフトウェアバージョン情報４２ｂ、および駆動方式情報４２ｃの３つの情報によってバラスト種別の適合性を判断しているが、いずれか１つまたは２つの情報によって適合性を判断してもよい。
【００７５】
（変形例２）上記実施形態では、バラスト種別記憶部４２に記憶されている駆動方式情報４２ｃの情報の数については特に言及していないが、単数の情報を記憶していてもよいし、複数の情報を記憶していてもよい。つまり、バラストユニット４０が複数の駆動方式に対応可能である場合には、駆動方式情報４２ｃには複数の駆動方式の情報が記憶されていてもよい。そして、対応駆動方式情報２２ｃが駆動方式情報４２ｃに記憶されるいずれかの駆動方式と適合していれば、制御部２１は、バラストユニット４０を制御可能と判断してもよい。このようなバラストユニット４０では、複数の種類のプロジェクターに対応することできる。
【００７６】
（変形例３）上記実施形態では、対応バラスト種別記憶部２２に記憶されている対応ハードウェア情報２２ａの情報の数、および対応ソフトウェアバージョン情報２２ｂの情報の数については特に言及していないが、それぞれ単数の情報を記憶していてもよいし、複数の情報を記憶していてもよい。つまり、制御部２１が制御可能な対応ハードウェア情報２２ａとして、複数のメーカー情報が記憶されていてもよい。そして、対応ハードウェア情報２２ａに記憶されるメーカー情報のいずれかがハードウェア情報４２ａに記憶されるメーカー情報と適合していれば、制御部２１は、バラストユニット４０を制御可能と判断してもよい。また、制御部２１が制御可能な対応ソフトウェアバージョン情報２２ｂとして、複数のソフトウェアバージョンの情報が記憶されていてもよい。そして、対応ソフトウェアバージョン情報２２ｂのいずれかがソフトウェアバージョン情報４２ｂに記憶されるソフトウェアバージョンと適合していれば、制御部２１は、バラストユニット４０を制御可能と判断してもよい。このようなプロジェクター１では、複数の種類のバラストユニットに対応することできる。
【００７７】
（変形例４）上記実施形態では、操作受付部３１は複数のキー等を備えているものとしたが、プロジェクター１の外部の電子機器（図示せず）からの操作信号を受信する通信部（図示せず）を有するものとしてもよい。通信部の通信規格としては、例えば、ＲＳ−２３２ＣやＵＳＢ、ＩＥＥＥ（Institute of Electrical and Electronic Engineers）１３９４等の通信としてもよいし、ＩＰネットワーク通信や、無線通信による通信としてもよい。
【００７８】
（変形例５）上記実施形態では、制御部２１とバラスト制御部４１との間は、ＵＡＲＴで接続されているものとしたが、通信方法はＵＡＲＴに限定するものではない。
【００７９】
（変形例６）上記実施形態では、プロジェクター１を例にして説明しているが、光源ランプと、光源ランプを駆動するバラストユニットと、バラストユニットを制御するバラスト制御部と、制御部と、を備えた画像表示装置であれば適用することが可能である。例えば、透過型のスクリーンを一体的に備えたリアプロジェクター等に適用することも可能である。
【００８０】
（変形例７）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８１】
（変形例８）上記実施形態では、光源ランプ１１は、放電型の光源ランプ１１によって構成されているが、ＬＥＤ光源等の固体光源や、その他の光源を用いることもできる。この場合、バラストユニットは、その光源を駆動するための光源駆動回路とする。
【符号の説明】
【００８２】
１…プロジェクター、１０…画像投写部、１１…光源ランプ、１２…液晶ライトバルブ、１３…投写レンズ、１４…ライトバルブ駆動部、２０…制御回路、２１…制御部、２２…対応バラスト種別記憶部、２２ａ…対応ハードウェア情報、２２ｂ…対応ソフトウェアバージョン情報、２２ｃ…対応駆動方式情報、２３…駆動方式記憶部、３１…操作受付部、３２…報知部、４０…バラストユニット、４１…バラスト制御部、４２…バラスト種別記憶部、４２ａ…ハードウェア情報、４２ｂ…ソフトウェアバージョン情報、４２ｃ…駆動方式情報、４３…ＥＭＩフィルター、４４…ダウンコンバーター、４５…インバーター回路、４６…イグナイター回路、５０…電源回路、６０…画像信号入力部、６１…画像処理部。
【図１】
2011164509.tif 000003
【図２】
2011164509.tif 000004
【図３】
2011164509.tif 000005
【図４】
2011164509.tif 000006
【図５】
2011164509.tif 000007
【図６】
2011164509.tif 000008